Podtech/llm-jp-corpus-v4-ja_patent huggingface dataset:
(57)【要約】【課題】    従来のステレオ本体の外部入力端子はビデオやAUXだけで、外部端子は多くて２つしかつかない。    現在のフラッシュメモリステレオやHDレコーダやDVDプレイヤーとビデオ等足りない状態によくなる。    【解決手段】    そこで、１つの線端子に雄雌両有の線端子にし、本体端子につけれる線を開発。図３のようにつけた次からさらにつけ、またさらにと端子がない分を補い、幾つも付けれる効果をだすことができる。また、線端子の延長上に端子がいくつもある、切り替え式または切り替え式じゃない装置分入機を開発。端子がない分を補うことができる。【選択図】  図１
2010218831.tif 000002
【特許請求の範囲】
【請求項１】
本体端子が足りない場合に、雄雌の端子を一体的に有した、幾重にも重ねることができる線端子
【請求項２】
端子から出ている線を、筒状のものに小さな穴を開け、そこを中の線と外の線を両線とうして外側
に出す構造の線端子
【請求項３】
線端子の延長上に端子がいくつもある、切り替え式または切り替え式じゃない装置分入機
【発明の詳細な説明】
【技術分野】
【０００１】
本発明は、一般家庭のテレビ・オーディオ等の端子不足を解決するテレビ・オーディオ等線端子に関する
【背景技術】
【０００２】
従来の家庭用のオーディオ線には、端子は本体雌端子１つに線雄端子１つである。
しかし、近年フラッシュメモリオーディオやDVDプレイヤー、HDプレイヤー、ビデオ等色々でてきた。本体端子が足りないのである。
【先行技術文献】
【特許文献】
【０００３】
【特許文献１】実用新案登録  第3034046号公報
【発明の概要】
【発明が解決しようとする課題】
【０００４】
以上に述べた従来のテレビ・オーディオ等線端子では、今の多数あるテレビ・オーディオ等をすべてが接続できなく不便である。１つの雌端子に１つの雄端子しかつけれない構造である。
【０００５】
本発明は、このような従来の構成が有していた問題を解決しようとするものであり、端子を幾つもたくさんつけれるものである。
【課題を解決するための手段】
【０００６】
そして、本発明は上記目的を達成するために、テレビ・オーディオ等線端子を幾重にもつけれるよう、線端子に雌の役割をする端子を後部につけて、雄雌両有線端子にして連続できるようしたものである。
【０００７】
上記の課題解決手段による作用は次の通りである。すなわち、足りない本体雌端子を雄雌両有線端子を重ねる構造にして、幾重にもつけることができる。
【０００８】
また、第２の課題解決手段による作用は、端子から出ている線を、外の線の一部である筒状のものに小さな穴を開け、そこを絶縁体で覆われた中の線と外の線を両線通して外側に出す構造の端子にして線をうまく外に出すことが可能になる。
【０００９】
また、第３の課題解決手段による作用は、このような従来の構成が有していた問題を解決しようとするものであり、１端子を延長し装置をつけ、たくさん端子を増やし、たくさんつけれるものである。混戦回避のため、（映像、音声右、音声左）、ワンセットずつ切り替え式にしたものまたは切り替え式じゃないものである。
【発明の効果】
【００１０】
上述したように本発明のテレビ・オーディオ等線端子は、足りないオーディオ本体雌端子を線端子の構造を後部に雌端子をつけて雄雌両有にして次に、はめれるようにし、幾重にも対応可能にすることができる。しかも、装置や配線が要らなく、費用も安いし簡単である。
【００１１】
また、第２の課題解決手段による作用は、端子から出ている線を、筒状のものに小さな穴を開け、そこを絶縁体で覆った中の線と外の線を両線通して外側に出す構造の端子にして線をうまく外に出すことが可能になる。
【００１２】
また、第３の課題解決手段による作用は、オーディオ線端子をたくさんつけれるよう、端子の延長にたくさんの端子をつけれるよう、本体端子に線端子を差した延長先に切り替え式または切り替え式じゃない装置分入機をつけ端子を４セットとか、たくさんつけれるようにしたものである。
【図面の簡単な説明】
【００１３】
【図１】雄雌両有のオーディオ・テレビ等線端子の外観図
【図２】雄雌両有のテレビ・オーディオ等線端子の断面図
【図３】本発明の実施形態を示すテレビ・オーディオ等線端子の連続結合外観図
【図４】雄雌両有のテレビ・オーディオ等線端子の断面図で、外側の筒に穴を開けて両線とうしたもの
【図５】本発明の実施形態を示すオーディオ線延長端子部分の切り替え式または切り替え式じゃない装置分入機装置の外観図
【発明を実施するための形態】
【００１４】
以下、本発明の実施形態を図１〜図４、図１‘で説明する。
【００１５】
図においては、２はオーディオ線雄端子で、本体オーディオ雌端子１にはまり、３は図２の線端子雌部で、１、本体雌端子と同製である。よって線端子を雄雌両有にして、雌端子に雄端子をつなぐことによって３重にも４重にもすることができるものである。４は外の線の一部である筒状のものに開けた穴を、絶縁体で覆われた中の線と外の線が通って外に出されたもので線をうまく外に出すことができる。図５においては、２’はオーディオ線端子で、本体オーディオ端子１‘にはまり、３’は線端子の延長装置下でいくつもつけられる切り替え式または切り替え式じゃない装置分入機、４‘の線端子をつけれる。以上を幾重にもすることができるものである。
【符号の説明】
【００１６】
１    アンプ本体にある雌端子    
２    雄雌両有端子の雄部分
３    雄雌両有端子の雌部分
４    雄雌両有端子の外の線の筒状のものに線を通すために空けた穴
1‘      アンプ本体の雌端子
２‘      オーディオケーブルの雄端子
３‘      オーディオ線延長端子部分の切り替え式または切り替え式じゃない装置分入機装置  
４‘      オーディオケーブルの雄端子
【図１】
2010218831.tif 000003
【図２】
2010218831.tif 000004
【図３】
2010218831.tif 000005
【図４】
2010218831.tif 000006
【図５】
2010218831.tif 000007
(57)【要約】【課題】瞬間的に且つ大量に発生する廃蒸気を確実に吸引することのできる安価な廃蒸気回収装置を提供する。【解決手段】  廃蒸気通路１にバルブ８を介在して真空タンク２を接続する。真空タンク２の下方には蒸気・復水タンク６を接続する。蒸気・復水タンク６の上部に接続管７を介して蒸気エゼクタ４の吸引口１０と接続する。蒸気エゼクタ４には、入口側に高圧蒸気管１２を、また、出口側に中圧蒸気管１３をそれぞれ接続する。  廃蒸気収集口３の下方で発生した大量の廃蒸気は、廃蒸気通路１のバルブ８を全開することによって、所定の圧力状態に維持された真空タンク２内へ確実に吸引される。【選択図】 図１
2010043791.tif 000002
【特許請求の範囲】
【請求項１】
蒸気装置から流下してくる廃蒸気を所定箇所へ排出するものにおいて、廃蒸気の流下する廃蒸気通路に所定の真空圧力状態に維持された真空タンクを連通すると共に、当該真空タンクに蒸気エゼクタの吸引口を接続したことを特徴とする廃蒸気回収装置。
【発明の詳細な説明】
【技術分野】
【０００１】
本発明は、例えばシュリンクトンネルやスチーマーやゴムの加硫器等の各種蒸気使用装置から廃棄される廃蒸気を回収することによって、工場建屋の内部あるいは外部でモヤモヤと立ち込める廃蒸気を無くすことのできる廃蒸気回収装置に関する。
【背景技術】
【０００２】
廃蒸気回収装置は、蒸気使用装置としてのシュリンクトンネルと、エゼクターと液体タンクと循環ポンプで構成された真空吸引手段とを、廃蒸気回収パイプで接続したもので、シュリンクトンネルからの廃蒸気を真空吸引手段で吸引することによって、モヤモヤと立ち込める廃蒸気を無くすことができるものである。
【０００３】
この廃蒸気回収装置においては、瞬間的に且つ大量に発生する廃蒸気の全てを確実に吸引することができない問題があった。また、瞬間的に且つ大量に発生する廃蒸気を確実に吸引するためには、真空吸引手段を構成する循環ポンプの容量を大きなものとしなければならず、装置自身のコストが上昇すると共に、循環ポンプの駆動にも多くの電力を要するためにランニングコストが上昇してしまう問題があった。
【特許文献１】特開２００２−５５８２号公報
【発明の開示】
【発明が解決しようとする課題】
【０００４】
解決しようとする課題は、瞬間的に且つ大量に発生する廃蒸気を確実に吸引することのできる安価な廃蒸気回収装置を提供すること。
【課題を解決するための手段】
【０００５】
本発明は、蒸気装置から流下してくる廃蒸気を所定箇所へ排出するものにおいて、廃蒸気の流下する廃蒸気通路に所定の真空圧力状態に維持された真空タンクを連通すると共に、当該真空タンクに蒸気エゼクタの吸引口を接続したものである。
【発明の効果】
【０００６】
本発明の廃蒸気回収装置は、所定の圧力状態に維持された真空タンクを連通したことによって、廃蒸気が瞬間的に且つ大量に発生した場合、この真空タンクで廃蒸気の全てを確実に吸引することができ、一部の廃蒸気がモヤモヤと立ち昇ることを防止することができる。
【発明を実施するための最良の形態】
【０００７】
本発明は、所定の圧力状態に維持された真空タンクを用いるものであるが、真空タンクの圧力状態と容積は、発生する廃蒸気の量、あるいは、単位時間当りの廃蒸気の発生量に応じて、適宜選定することができる。
【実施例１】
【０００８】
本実施例においては図１に示すように、廃蒸気通路１と、この廃蒸気通路１に接続した真空タンク２、及び、蒸気エゼクタ４とで廃蒸気回収装置を構成する。
【０００９】
廃蒸気通路１の左端部に、円錐状の廃蒸気収集口３を設ける。廃蒸気収集口３の下方に、図示しない蒸気装置を配置する。蒸気装置で発生した廃蒸気が、廃蒸気収集口３から吸引されるものである。
【００１０】
廃蒸気通路１の途中にバルブ８を介在して真空タンク２を配置する。真空タンク２は、中空円筒状で、上部に廃蒸気通路１の下端を接続する。一方、真空タンク２の下部に連通管５と蒸気・復水タンク６と接続管７を介して蒸気エゼクタ４の吸引口１０と連通する。
【００１１】
蒸気エゼクタ４は、吸引口１０とディフューザ部１１で構成して、吸引口１０側にエゼクタ駆動用の高圧蒸気を供給する高圧蒸気管１２を接続すると共に、ディフューザ部１１の出口側に中圧蒸気管１３を接続して、別途の図示しない中圧蒸気使用箇所へと連通する。
【００１２】
蒸気エゼクタ４に接続管７を介して接続した蒸気・復水タンク６は、横長のパイプ状のものであり、上部に接続管７並びに連通管５を接続する。蒸気・復水タンク６の下部には、蒸気の凝縮した復水だけを外部へ排出する蒸気トラップ１４を取り付ける。
【００１３】
真空タンク２から蒸気・復水タンク６内へ流下した廃蒸気は、蒸気エゼクタ４の吸引口１０へ吸引され、高圧蒸気と混合されて中圧蒸気管１３から別途の蒸気使用箇所へと供給されると共に、蒸気・復水タンク６内の一部が熱を奪われて凝縮して復水となって、蒸気トラップ１４から外部へ排出されるものである。
【００１４】
蒸気エゼクタ４へ高圧蒸気管１２から駆動用の高圧蒸気を供給することによって、蒸気エゼクタ４の吸引口１０で所定の真空吸引力を発生することにより、真空タンク２内を所定の圧力状態に維持することができる。廃蒸気収集口３の下方で、大量の廃蒸気が瞬間的に発生した場合は、廃蒸気通路１のバルブ８を全開することによって、大量の廃蒸気は所定の圧力状態、すなわち、大気圧以下の真空圧力状態に維持された真空タンク２内へ、廃蒸気の全てが速やかに吸引される。
【００１５】
上記のように本発明は、廃蒸気通路１に真空タンク２を配置したことにより、モヤモヤと立ち昇る廃蒸気を無くすことができる。
【図面の簡単な説明】
【００１６】
【図１】本発明の廃蒸気回収装置の実施例を示す構成図。
【符号の説明】
【００１７】
１  廃蒸気通路
２  真空タンク
３  廃蒸気収集口
４  蒸気エゼクタ
６  蒸気・復水タンク
７  接続管
１０  吸引口
１１  ディフューザ部
１２  高圧蒸気管
１３  中圧蒸気管
１４  蒸気トラップ
【図１】
2010043791.tif 000003
(57)【要約】【課題】  検出針を介して伝わるスチームトラップの熱をケーシングから外気に逃がすことにより、また、スチームトラップ以外の振動であるノイズがケーシングから感振素子に伝わらないようにすることにより、振動の検出精度が良い振動計を提供する。【解決手段】  振動計のケーシングは本体１と、本体１の後端に固定したキャップ３とから形成する。本体１内に検出針４を軸方向に変位自在に配置する。検出針４の後端に感振素子５を固定する。感振素子５をシリコンゴム１３で囲繞する。シリコンゴム１３の下面と側面はそれぞれ本体１の内面の下面と側面に当接し、シリコンゴム１３の上面はキャップ３の下面に当接する。スチームトラップに押し当てる検出針４の先端は本体１の開口１４から突出せしめる。この検出針４の先端をスチームトラップに押し当てて本体１の開口まで押し込むことによりシリコンゴム１３を一定量圧縮せしめる。【選択図】      図１
2010043952.tif 000002
【特許請求の範囲】
【請求項１】
検出針を軸方向に変位自在にケーシングに取り付け、検出針の後端に固定した感振素子を弾性部材で付勢して被検出物に押し当てる検出針の先端をケーシングの開口から突出せしめ、この検出針の先端を被検出物に押し当ててケーシングの開口まで押し込むことにより弾性部材を一定量圧縮せしめるものにおいて、感振素子を囲繞するシリコンゴムで弾性部材を形成してシリコンゴムを介して感振素子をケーシングに取り付けたことを特徴とする振動計。
【発明の詳細な説明】
【技術分野】
【０００１】
本発明は、スチームトラップ等の高温の弁の作動に伴う振動を検出して、作動の良否を確認するときに用いる振動計に関し、特に検出針が所望の力で被検出物に押し当てられるようにしたものに関する。
【背景技術】
【０００２】
検出針が所望の力で被検出物に押し当てられるようにした従来の振動計は、検出針を軸方向に変位自在にケーシングに取り付け、検出針の後端に固定した感振素子をスプリングで付勢して被検出物に押し当てる検出針の先端をケーシングの開口から突出せしめ、この検出針の先端を被検出物に押し当ててケーシングの開口まで押し込むことによりスプリングを一定量圧縮せしめるものである。
【０００３】
上記従来の振動計は、検出針の先端を被検出物に押し当ててケーシングの開口まで押し込むことによりスプリングを一定量圧縮せしめるものであるので、検出針を所望の力で被検出物に押し当てることができるものである。しかしながら、スチームトラップ等の被検出物が高温である場合には被検出物の熱が検出針を介して感振素子に伝わるために、また、被検出物以外の振動であるノイズがケーシングを介して感振素子に伝わるために、振動の検出精度が悪いという問題点があった。
【特許文献１】実公平６−３７３０３号公報
【発明の開示】
【発明が解決しようとする課題】
【０００４】
解決しようとする課題は、検出針を介して感振素子に伝わる被検出物の熱をケーシングから外気に逃がすことにより、また、被検出物以外の振動であるノイズがケーシングから感振素子に伝わらないようにすることにより、振動の検出精度が良い振動計を提供することである。
【課題を解決するための手段】
【０００５】
本発明は、検出針を軸方向に変位自在にケーシングに取り付け、検出針の後端に固定した感振素子を弾性部材で付勢して被検出物に押し当てる検出針の先端をケーシングの開口から突出せしめ、この検出針の先端を被検出物に押し当ててケーシングの開口まで押し込むことにより弾性部材を一定量圧縮せしめるものにおいて、感振素子を囲繞するシリコンゴムで弾性部材を形成してシリコンゴムを介して感振素子をケーシングに取り付けたことを特徴とする。
【発明の効果】
【０００６】
本発明は、感振素子を囲繞するシリコンゴムで弾性部材を形成してシリコンゴムを介して感振素子をケーシングに取り付けたものであり、検出針を介して感振素子に伝わる被検出物の熱を熱抵抗の低いシリコンゴムを通してケーシングから外気に逃がすことができ、また、ケーシングを伝わる被検出物以外の振動であるノイズがシリコンゴムに吸収されて感振素子に伝わらないので、振動の検出精度が良い振動計を提供することができるという優れた効果を生じる。
【発明を実施するための最良の形態】
【０００７】
本発明の振動計は、検出針を軸方向に変位自在にケーシングに取り付け、検出針の後端に固定した感振素子をシリコンゴムで囲繞してシリコンゴムを介して感振素子をケーシングに取り付け、シリコンゴムの弾性力で被検出物に押し当てる検出針の先端をケーシングの開口から突出せしめ、この検出針の先端を被検出物に押し当ててケーシングの開口まで押し込むことによりシリコンゴムを一定量圧縮せしめるものである。そのため、検出針を介して感振素子に伝わる被検出物の熱を熱抵抗の低いシリコンゴムを通してケーシングから外気に逃がすことができ、また、ケーシングを伝わる被検出物以外の振動であるノイズがシリコンゴムに吸収されて感振素子に伝わらないので、振動の検出精度を良くすることができる。
【実施例１】
【０００８】
上記の技術的手段の具体例を示す実施例を説明する（図１参照）。振動計のケーシングは本体１と、本体１の後端に固定したキャップ３とから形成する。本体１内に検出針４を軸方向に変位自在に配置する。検出針４の後端に感振素子５を固定する。感振素子５は検出針４の後端に、振動伝達板６をねじ結合すると共に電極板７と圧電素子８と電極板９とウエイト１０と防振ゴム１１を挿入してナット１２で固定したものである。感振素子５をシリコンゴム１３で囲繞する。シリコンゴム１３の下面と側面はそれぞれ本体１の内面の下面と側面に当接し、シリコンゴム１３の上面はキャップ３の下面に当接する。被検出物としてのスチームトラップに押し当てる検出針４の先端は本体１の開口１４から突出せしめる。この検出針４の先端をスチームトラップに押し当てて本体１の開口まで押し込むことによりシリコンゴム１３を一定量圧縮せしめる。感振素子５で検出した電圧変動がケーブル１５ないしは無線式伝送手段により判定器（図示せず）に送られる。
【０００９】
次に本実施例の振動計の作用について説明する。検出針４の先端をスチームトラップに押し当てて本体１の開口１４まで押し込むことによりシリコンゴム１３を一定量圧縮せしめる。スチームトラップの振動が検出針４を通して振動伝達板６に伝わり、圧力変動として圧電素子８に作用し電圧変動が生じる。この電圧変動が電極板７，９からケーブル１５により判定器に送られ、判定器でスチームトラップの作動の良否が判定される。検出針４を介して感振素子５に伝わるスチームトラップの熱を熱抵抗の低いシリコンゴム１３を通して本体１及びキャップ３から外気に逃がすことができるので、また、本体１及びキャップ３を伝わるスチームトラップ以外の振動であるノイズがシリコンゴム１３に吸収されて感振素子５に伝わらないので、振動の検出精度を良くすることができる。
【図面の簡単な説明】
【００１０】
【図１】本発明の振動計の断面図。
【符号の説明】
【００１１】
１  本体
３  キャップ
４  検出針
５  感振素子
６  振動伝達板
７  電極板
８  圧電素子
９  電極板
１０  ウエイト
１１  防振ゴム
１２  ナット
１３  シリコンゴム
１４  本体の開口
１５  ケーブル
【図１】
2010043952.tif 000003
(57)【要約】      （修正有）【課題】線香花火により放出される、火花等の視覚的造形物により、文字や記号等の意味をなす形状を作り出す、新規な線香花火を提供する。【解決手段】線香花火の袋詰め火薬部に、記号等の形状が出る様に収める事で、その火薬部が燃焼した際に、その記号を浮き出たせる。線香花火の袋詰め火薬部に、全体に収めた火薬とは種類の違う火薬を、記号等の形状が出る様に収める事で、その火薬部が燃焼した際に、その記号を浮き出たせる。線香花火の袋詰め火薬部を、火薬等の噴出を制限させる事により、記号等の形状が出る様に設定する。線香花火の袋詰め火薬部に、記号等の形状が出る様に収めたガスが、引火する事により、記号等の形状が出る様に設定する。【選択図】なし【特許請求の範囲】
【請求項１】
線香花火により放出される、火花等の視覚的造形物により、文字や記号等の意味をなす形状を作り出す、新規な線香花火を提供する。
【発明の詳細な説明】
【技術分野】
【０００１】
本発明は、いままでの線香花火ではなし得なかった、意味をなす火花等の視覚的造形物を発生させる事により、メッセージ性の高いものにし、線香花火の可能性を高め、世界に線香花火を広める事により、線香花火の世界市場を獲得し、失われつつある日本の夏の線香花火の情緒ある風景を、新しい環境とともに、取り戻すものである。
【背景技術】
【０００２】
現在、日本で、線香花火を作る職人は、年々減少し、中国で製造されているものが多数を占めている。その中国も生産性が合わないとの事で、中国でも線香花火を制作しなくなるといわれており、新しい線香花火が市場から消えようとしている。
【特許文献１】特開平8-170898
【特許文献２】特開平5-1899
【特許文献３】実登31194402
【特許文献４】特開2002-267400
【特許文献５】実登307842
【発明の開示】
【発明が解決しようとする課題】
【０００３】
本発明の目的は、線香花火により放出される、火花等の視覚的造形物により、文字や記号等の意味をなす形状を作り出す、新規な線香花火を提供する。
【課題を解決するための手段】
【０００４】
線香花火の袋詰め火薬部に、記号等の形状が出る様に収める事で、その火薬部が燃焼した際に、その記号を浮き出たせる。
【０００５】
線香花火の袋詰め火薬部に、全体に収めた火薬とは種類の違う火薬を、記号等の形状が出る様に収める事で、その火薬部が燃焼した際に、その記号を浮き出たせる。
【０００６】
線香花火の袋詰め火薬部を、火薬等の噴出を制限させる事により、記号等の形状が出る様に設定する。
【０００７】
線香花火の袋詰め火薬部に、記号等の形状が出る様に収めたガスが、引火する事により、記号等の形状が出る様に設定する。
(57)【要約】      （修正有）【課題】外気温が３３℃とか、３５℃となると、空調冷房機の効率はかなり落ちる。以上のことを、改善するべくドレン水注水滴下方式を提供する。【解決手段】空調冷房運転中に室内機６から生成されるドレン水を室外機１の発熱量の高い部分に注水滴下し発熱量を下げる。注水滴下する部分は排熱ラジエータ３の高温高圧部分９である。注水滴下する水量は、ドレン水のみであり、非常に少量でその量は１分間に３ｃｃ程度である。この量はその日の湿度により増減するが、継続して供給される。注水滴下された水は、高温高圧部分９を濡らした後、その直下の冷媒ガス配管に順にかかり、ドレン水最終廃棄口５より排水される。これにより、室内機６の冷房噴出し温度は２ないし２．５℃下がり、省エネ効果も改善された。【選択図】図１
2010043829.tif 000002
【特許請求の範囲】
【請求項１】
冷房空調室内機で発生するドレン水を冷房空調室外機の冷房サイクルの高温高圧部分に注水滴下して排熱効率を改善した構造
【発明の詳細な説明】
【発明の詳細な説明】
本発明の趣旨は、セパレート型空調冷房機の効率を上げる為の発明です。
本発明の理解を進める為、説明の前に冷房サイクルの、概略の説明を致します。図１は動作説明分解概略説明図です。冷房サイクルは、図１の１冷房室外機の２の圧縮機に封入されている冷媒ガスを、１０ｋｇ平方ｃｍ程度に圧縮されます。その為、冷媒ガスは、高温高圧ガスとなります。この高温高圧ガスの温度を常温程度に下げる為、３の排熱ラジエーター部分に送り、４の排気ファンで強制排気されて、常温に近ずけられます。
常温高圧ガスの状態で６の室内機に送られ、７の減圧部分で５ｋｇ平方ｃｍ程度に減圧されて後、ラジエーター構造８の蒸発器に送られます。８の蒸発器は室外機の２の圧縮機の吸入側に接続されております。この為、８の蒸発器の内部で、急激に冷媒ガスは蒸発します。冷媒ガスの蒸発温度は零下１７度であり、８の蒸発器ラジエーター周辺の外気を急激に冷やすと同時に外気に含まれる湿気が結露して後、その水分を１０の露受け皿を経由して、１１のドレン水排出口より排出されます。圧縮機へ吸入された冷媒ガスは、再び圧縮されて、最初の工程に戻り、冷房サイクルを形成しています。本発明はこの、２の圧縮機の出力側の９の高温高圧部分に６の室内機で生成されたドレン水を、注水滴下されて、最も温度の高い部分の温度を下げる役割を致します。９の高温高圧部の温度は運転時、摂氏８０度以上の高温であります。この場所に注水滴下されるドレン水の温度は摂氏２０度程度であります。又ドレン水の量は１分間に３ｃｃ程度の量で継続して注水滴下蒸散されます。このドレン水量は少量であり、今までは、何の役にも立たないとの理由で廃棄されていた物です。最近は温暖化の影響と住宅事情から１の冷房室外機の置き場所も限定され、特に狭い置き場所の場合で、空気の流通の悪い場所では、熱気がこもり排熱効率が、いちじるしく悪く、冷房効率が低下の傾向にあります。
その為、本発明では、１の室外機の運転効率改善の為に、６の室内機で発生するドレン水の有効利用を考え、本件の発明となりました。
９の高温高圧部分の配管構造は１の冷房室外機の図に有ります様に左右の端で折り返して、１の室外機の底面近くまで、配置されています。この為、９の高温高圧部分に注水滴下されたドレン水は、順に下の配管にかかり最下部の配管までの間滞留して後、５のドレン水最終廃棄口を通じて排水溝に廃棄されます。この構造を実施した場合の温度データーを示します。実測の日の外気温度は３２度です。
本件を利用しないで実測した空調冷房室外機の排出排風温度は４５度でした。
本件を利用した場合の空調冷房室外機の排出排風温度は３５度でした。
空調冷房室内機の冷気の噴出し温度は本件実施前より２度ないし２．５度下がり、改善効果は確認できました。これにより省エネ効果も、得られるものであります。次に参考データー示します。
２０年８月６日  １２時４０分頃測定  場所  京都市東山区の自宅
外気温  ３２度    室外機周辺  但し冷房運転は停止状態です。
冷房運転  ドレン水を掛けない状態で測定
冷房室外機の排風拝熱温度  ４５度
冷房運転  本方式による（ドレン水注水滴下方式）での測定
冷房室外機の排風排熱温度  ３３度
上記の結果  本方式の場合排風排熱温度は１２度の温度差を測定しました。
図２は本方式の冷房室外機の背面図です。図３は冷房室外機の正面図です。
図４は本方式の斜視図です。
【図面の簡単な説明】
【図１】本発明の動作説明分解概略説明図です。
【図２】本発明の背面図です。
【図３】本発明の正面図です。
【図４】本発明の斜視図です。
【符号の説明】
１は冷房室外機、２は圧縮機、３は排気ラジエーター、４は排気フアン
５はドレン水最終廃棄口、６は室内機、７は減圧部分、８は蒸発器
９は高温高圧部分、１０は露受皿、１１は室内機ドレン排水口、
１２は室外機ドレン水給水口
【図１】
2010043829.tif 000003
【図２】
2010043829.tif 000004
【図３】
2010043829.tif 000005
【図４】
2010043829.tif 000006
(57)【要約】      （修正有）【課題】居室内の湿度を適正に保つ為の加湿器は従来品では容量が小さく、複数台数置く必要があり、水の補給も人為的に行う方式なので、煩わしさが課題となっている。本発明は浴室の残湯という未利用エネルギーを有効活用し、居室内も湿度を適正に保つ装置である。【解決手段】浴室内の浴槽から発生する水蒸気は居室内の湿度を適正に保持する為には十分な量があり、しかも未利用エネルギーとして有効活用が求められる。【選択図】図１
2010043822.tif 000002
【特許請求の範囲】
【請求項１】
浴室の浴槽から排出する水蒸気を居室内の湿度を適切に保持する為の装置となっている。
【請求項２】
浴室と居室とを連結するパイプを取付け、浴室浴槽の水蒸気が居室側に流入出来る装置となっている。
【請求項３】
浴室と居室とを連結するパイプ内にファンを取付け、浴室浴槽の水蒸気が強制的に居室側に流入出来る装置となっている。
【請求項４】
連結パイプ内のファンは居室内の湿度計と直結し、居室内が適正に湿度を表示した場合、パイプ内のファンが手動又は自動的に停止する装置となっている。
【発明の詳細な説明】
【技術分野】
【０００１】  浴室・浴槽から排出する水蒸気を浴室内と居室とを連結出来るパイプを取付ける。パイプ内にはファンが設置されており、これにより強制的に水蒸気は居室側に流入する。居室側では湿度計と連動し、適切な湿度を保持するシステムとなっている。
【背景技術】
【０００２】  近年、寒冷地における暖房システムは住宅の高気密化と高断熱化により、温度的には極めて満足すべき域に達している。しかし、居室内の暖房温度を適切な温度に保持しようとすると、同時に居室内の湿度を適切に保持することが難しく、いわゆる過乾燥状態が深刻な課題となっている。現在市販されている加湿器は、何れも小型の電気式のものが主流となっており、恒常的に居室内の湿度を保持するには不十分である。省エネルギーで経済的にも安価な加湿システムが必要とされている。
【発明の開示】
【発明が解決しようとする課題】
【０００３】  一般住宅で使用されている加湿器は、いづれも電気式加湿器で、水を常に人為的に補給しなければならず、その扱いに煩わしさがある。又、水蒸気の発生量も少なく、複数台数居室内に設置しなければならないという不便がある。
【課題を解決するための手段】
【０００４】  浴室内の浴槽にある残湯は、居室内の湿度を適正に保持するだけの水蒸気は十分に含まれている。浴槽の残湯から発生する水蒸気は、浴室の壁面に設置されたファンにより居室内に排出される。壁面のファンは居室内に設置されている湿度計と連動し居室内の湿度が適正になると自動又は手動で停止する装置となっている。
【発明の効果】
【０００５】  特に冬期間の住宅の過乾燥を防ぐ事に効果がある。
【実施例】
【０００６】  浴室内の浴槽に排湯する残湯を利用するので、未利用エネルギーの有効利用となる。
【実施例１】
【０００７】  本発明による次のような実施例がある。【０００８】  浴室の壁面（居室側）にダクトファンを取付け、住宅の居室内に向けて浴室内の水蒸気を排出する構成になっている本発明による実施例。
【図面の簡単な説明】
【０００９】
【図１】本発明の概要図  浴室（４）内に設置されている浴室（１）内残湯から蒸発した水蒸気は浴室（４）内に充満している。その一部をダクトファン（２）を稼動させ、浴室（４）内の水蒸気を居室（５）側に排出し、居室（５）側の湿度を適正に保持する。湿度計（８）は居室（５）内の湿度を感知し、所定の湿度になると電気的信号を送り、ダクトファンを停止する装置となっている。
【符号の説明】
１．  浴槽
２．  ダクトファン
３．  湿度計
４．  浴室
５．  居室
６．  ダクト
【図１】
2010043822.tif 000003
(57)【要約】      （修正有）【課題】建造物の床下換気孔の換気機能を損なうことなく、集中豪雨時の床下への浸水を防止し、冬季には床下保温機能を有し、平常時には害虫の侵入を防ぐ機能を有し、既存の床下換気孔に簡易に設置できる遮蔽部材を提供する。【解決手段】床下換気孔の外側開口部の周囲に防水接着剤等を介して強磁性体の枠１を取り忖け、開口部を遮蔽するためのマグネットシート及び磁石、防水パッキンを接着した止水板２から成り立ち、マグネットシート及び磁石の磁力による吸着力によって止水板２と枠１とを密着させ、床下への水の侵入を防ぎ、枠あるいは止水板に位置決めガイド７を設け、また止水板の不使用時に保管できる保管板８を設け、また止水板中央部分をメッシュとすれば害虫の侵入を防ぐ機能も有する。【選択図】図１
2010043509.tif 000002
【特許請求の範囲】
【請求項１】
建造物の布基礎６に設けられる床下換気孔をそのまま活かし、床下換気孔の形状に合わせた□または凹の字形の強磁性体枠１、枠１の外形形状に合わせ、磁性材料を配合したマグネットシート３Ａ及び、通常の磁石３Ｂ、防水パッキン４及び着脱用取手５を取り付けた止水板２から構成され、マグネットシート及び磁石の磁力による吸着力によって強磁性体の枠と止水板を密着固定させ、防水パッキンにより床下換気孔の開口部を遮蔽し、床下への水の浸入を防ぎ、また簡易に開口出来ることを特徴とし、止水板と枠のズレを防ぎ、止水板を床下換気孔近隣に保管できる機能を追加することを特徴とする床下換気孔浸水防止器具。
【発明の詳細な説明】
【技術分野】
【０００１】  この発明は、床下換気孔からの浸水を、周囲を強磁性体で囲った床下換気孔の開口部にマグネットシート及び磁石を付属させた止水板を外部より密着し遮蔽することにより、水の床下への浸入を防ぐことに関する技術である。
【背景技術】
【０００２】  換気口遮蔽のため換気孔開口部を利用しての遮蔽物の固定等の方法もあるが、開口部の変形も多く固定方法に問題があり、また遮蔽物の保管方法によっては保管場所の忘却のおそれもある。  また他の遮蔽物は住宅基礎の製作時に床下換気孔に予め浸水防止器具を取り付けるか、あるいは既存の床下換気孔へ取り付けるものは基礎にボルトを取り付けたりするなど新たな工事が必要なものもある。また換気孔開口部に取り付けた強磁性体枠と止水板の位置決めガイドがなく装着時のズレによる水漏れの可能性がある。
【発明の開示】
【発明が解決しようとする課題】
【０００３】  以上の技術によれば、開口部遮蔽物の確実な固定と保管ができず、既存の住宅には取り付けにくいことにより誰にでも出来るようなものではなく、器具を取り付けても止水板の着脱に時間がかかってしまう実現性の薄い器具であった。そこでこの発明は、既存の床下換気孔周囲に簡単に器具を取り付けられ、床下への水の浸入を防ぐ止水板もワンタッチで着脱ができ、枠と止水板の装着時の位置ズレを解消し、遮蔽物の保管も近隣にできるようにすることを課題とする。
【課題を解決するための手段】
【０００４】  以上の課題を解決するために、基礎開口部及び基礎表面の状態に関係なく接着剤によって枠が取り付けられ、マグネットシート及び通常の磁石の使用によりその磁力による吸着力を利用した止水板で着脱をし、位置決めガイドを付けることにより枠と止水板の位置ズレの防止となり、床下換気孔の開口、遮蔽が確実にできる。また強磁性体の保管板を付けることにより遮蔽物を近隣に保管できる。
【発明の効果】
【０００５】  既存の床下換気孔に簡単に器具を取り付けられ、大雨増水の緊急時にも枠と止水板を機能する位置に密着でき、また冬季の床下保温のためにワンタッチで床下換気孔を遮蔽することもできると同時に、不要時には取り外し、近隣に保管することにより緊急時に素早く対処できる。
【発明を実施するための最良の形態】
【０００６】この発明の実施形態を、図１に示す。
基礎の床下換気孔周囲に防水接着して取り付けてある枠１は強磁性体を有するもので、止水板２にはマグネットシート３Ａと磁石３Ｂ、防水パッキン４を接着させてある。  枠１と止水板２が機能するための装着位置に位置決めガイド７を設け、また止水板を保管するために強磁性体である保管板８を近隣に設置した。【０００７】「実施形態の効果」
この実施形態によれば、床下換気孔を遮蔽する時にマグネットシート３Ａ及び磁石３Ｂを接着させた止水板２を、強磁性体の枠１にマグネットシート、磁石の磁力と位置決めガイドよってズレのない位置に吸着させ、そのまま手前に引っ張って外す。したがって止水板２はワンタッチで取り付け取り外しができる。また止水板の保管はこの枠の左右いずれかの端と強磁性体である保管板８に、止水板の左右両端の磁力により接着し、枠の隣に保管できる。【０００８】「他の実施形態」
図１の実施形態では、止水板の周囲にマグネットシート３Ａと磁石３Ｂを取り付け、その内側に防水パッキンを取り付けているがその外周でも良く、マグネットシート、磁石の単体使用も可能である。またマグネットシートの上に防水シールを接着することも良く、枠１の内側及び外周囲に防水パッキンを取り付けても良く、他の実施形態１では枠１をマグネットシート及び磁石、その各単体を設置して前記のように防水パッキンを内側及び外周に接着等をして、止水板２を強磁性体のものとしても良く、他の実施形態２では止水板の中央部を細かいメッシュとすれば通風機能が損なわれずに床下換気孔からの害虫の侵入を防ぐ防虫板にも利用できる。  また位置決めガイド７を枠１及び止水板２の外周囲あるいは内側にも設置することもできる。
【図面の簡単な説明】
【０００９】
【図１】この発明の一実施形態を示す斜視図である。
【図２】止水板の正面図２図及び側面図である。
【符号の説明】
【００１０】１  強磁性体の枠      ２  止水板              ３Ａ  マグネットシート
３Ｂ  磁石            ４  防水パッキン        ５  取手
６  建造物基礎        ７  位置決めガイド      ８  保管板
【図１】
2010043509.tif 000003
【図２】
2010043509.tif 000004
(57)【要約】【課題】  込んだ電車の乗り降りの時に起きてしまう、ドア開閉時の引き込まれで起きる危険を、出来るだけ少なくなる様に考えた引き込み防止装置を提供する。【解決手段】  開閉ドアと連動して動くロットギヤと回転ギヤを組み合わせる事により生じる、ドアの開閉時に起きる移動方向の力と、その力を押し返そうとする回転ローラを設ける事によって隙間からの巻き込みを少なくする巻き込み防止装置である。【選択図】図１
2010043510.tif 000002
【特許請求の範囲】
【請求項１】
横にスライドするドアの場合、ドアの移動によりドアに接触している、手や、物が収納部に引き込まれる危険があります、そこでその危険を少なくするために収納部入り口に、ドアの移動で引き込まれそうになって来た物を押し出す働きをする回転ローラーを具備した、巻き込み防止装置。
【発明の詳細な説明】
【技術分野】
【０００１】  本発明は、多くの乗り物に使われている左右に開閉するドアが持っている欠点、ドアの移動によりドアに接触している、手や、物が収納部に引き込まれる危険を少なくする巻き込み防止装置に関する物である。
【背景技術】
【０００２】  今まではドアのガラスの部分が凹んでいたために、この部分で収納部に引き込まれる危険が多くあるために、この部分を改良してドアの凹凸を少なくして解決している。【０００３】それでもまだ問題点がある。
ドアが移動するときの動きは、収納部に物を入れるときと同じ方向に力が働きます、今はただ単に入ってくる物を強引に押さえつける様な方法で処理しているので、引き込まれない様にするためには人間が注意しなければなりません。
本発明は、問題点を解決する為のものである。
【課題を解決する為の手段】
【０００４】収納部の内側にドアの移動方向と逆の回転をする回転ローラーを取り付ける事により、中に入ってくる物を元に押し出す働きをさせて、巻き込みを少なくすることで危険を少なく出来る。
【発明の効果】
【０００５】  収納部の内側に設置されるために、外観やドアなどはそのままで処理出来、子供や、お年寄りには今まで以上に優しいシステムになる。
【発明を実施するための最良の形態】
【０００６】以下、本発明の実施の形態について説明する。
（イ）開閉ドアの動きにより発生する、物を引き込む力と反対の回転をする回転ローラー（３）を取り付ける。
（ロ）（イ）の働きをさせるために、開閉するドアと連動するロットギヤー（５）を設ける。
（ハ）ドアの両面に取り付ける回転ローラーに力を伝達するための回転ギヤー（４）を設ける。
（ニ）ロットギヤーの位置を入れ子にすれば左右に開くドアに対処できる。
【図面の簡単な説明】
【０００７】
【図１】  本発明の構造図
【図１】
2010043510.tif 000003
(57)【要約】【課題】  風の作用にて出来るエネルギー手段にて、車又は機関を作動する・又は操作する事が出来る特徴を有する、車又は機関装置【解決手段】  本発明は、風の作用にて出来るエネルギー手段にて、自動車を走行させる事が最も主要な特徴である。【選択図】図１
2010043559.tif 000002
【特許請求の範囲】
【請求項１】
風の利用にてエネルギーを発生する機構・構造・構成・又は仕組みのエネルギー手段に於いて、該エネルギー手段にて、車又は機関を作動する・走行する・又は操作する事が出来る特徴を有する、車又は機関装置
【請求項２】
風の利用によるエネルギ−を発生する機構・構造・構成・又は仕組みのエネルギー手段にて、該エネルギ−を蓄電する事が出来得る手段を有する蓄電器又は蓄電池に於いて、該蓄電器又は蓄電池は、車又は機関を作動する・走行する・又は操作する事が出来得る特徴を有する、車又は機関装置
【発明の詳細な説明】
【技術分野】
【０００１】
本発明は、車又は機関装置の機構に関するものである。
【背景技術】
【０００２】
現在エネルギー効率化の必要に迫われている。
【０００３】
しかし、主に石油使用によるエンジンのエネルギ−発生、作動を以て車又は該機関装置は可動させている。
【０００４】
其処で、車又は該機関装置の可動は、石油使用によるエンジン、可動エネルギ−発生、作動に変わるもののとして、風によって、エネルギ−発生し、該エネルギ−の作動を以て車又は該機関装置は可動させている方法を提案するものである。。
【発明の開示】
【発明が解決しようとする課題】
【０００５】
解決しようとする問題点は、現在石油の高騰で車等に使用の燃料のコスト高となる支障が生じている。又温暖化の一要因と為す炭酸ガスの発生が生じると言う問題も生じる。
【課題を解決するための手段】
【０００６】
上記目的を達成すべく、
請求項１に記載された発明では、
風の利用にてエネルギーを発生する機構・構造・構成・又は仕組みのエネルギー手段に於いて、該エネルギー手段にて、車又は機関を作動する・走行する・又は操作する事が出来る特徴を有する、車又は機関装置
【０００７】
請求項２に記載された発明では、
風の利用によるエネルギ−を発生する機構・構造・構成・又は仕組みのエネルギー手段にて、該エネルギ−を蓄電する事が出来得る手段を有する蓄電器又は蓄電池に於いて、該蓄電器又は蓄電池は、車又は機関装置を作動する・走行する・又は操作する事が出来得る特徴を有する、車又は機関装置。
【０００８】
例えば、風車の機構・構造・構成・又は仕組みの手段にて、風を取り込み風の作用（羽部に風を当て風車を回転させる）で回転する又は移動する機構・構造・構成・又は仕組みによって得る風力発電、電気エネルギ−（電気又は静電気の発生可能）の発生となし得る、該エネルギ−の於いて、該エネルギ−を自動車の駆動回転に用いて自動車を走行させる。
【０００９】
又、該風力発電電気エネルギーの発生を蓄電する事が出来る手段にて該エネルギ−を（電気又は静電気の発生可能）蓄電する該蓄電器又は蓄電池にて溜める。該蓄電器又は蓄電池に於いて、該自動車・機関装置を操作・動かす事が出来る。該特徴を有する車又は機関装置である。
【発明の効果】
【００１０】
本発明のエネルギーは、車又は該機関装置可動エネルギーの省エネルギ−を図り、又石油燃料使用の炭酸ガス発生による温暖化を防止できる、エネルギーとして、風を利用するエネルギー発生を用いる事による特徴のものである。
【発明を実施するための最良の形態】
【００１１】
図１は、本発明の実施例の断面図であって、風車の羽部に風が当たりは風車が回転・移動を繰り返し為して、風力発電電気エネルギ−（電気又は静電気の発生可能）の発生となし得る、該エネルギ−の於いて、該エネルギ−を自動車の駆動回転に用いて自動車を走行させる構成である。
【００１２】
図２は、本発明の実施例の断面図であって、風車の羽部に引き入れる風が該羽部に当たり風車が回転・移動を繰り返し為して、風力発電電気エネルギ−（電気又は静電気の発生可能）の発生となし得る、該エネルギ−の於いて、該エネルギーの発生を蓄電する事が出来る手段にて該エネルギ−を（電気又は静電気の発生可能）蓄電出来得る該蓄電器又は蓄電池にて溜める該蓄電器又は蓄電池を設定する。該蓄電器又は蓄電池に自動車の駆動回転（軸）に接続用いて自動車を走行させる構成である。
【図面の簡単な説明】
【００１３】
【図１】本発明の実施例の断面図
【図２】本発明の実施例の断面図
【符号の説明】
【００１４】
１    自動車
２    風車の羽部
３    風の流れ
４    蓄電器
５    発電機
６    軸
【図２】
2010043559.tif 000003
【図１】
2010043559.tif 000004
(57)【要約】      （修正有）【課題】建物の天井のアンカー・インサートに配管用吊バンドと寸切ボルトを組み合わせた物を足場等を使用せずに床上から取付ける工具を提供する。【解決手段】配管用吊バンド８と寸切ボルト９を組み合わ物のターンバックル調整用ナットを可動フック４の間に挿入し、引きバネ３の反力により脱落防止固定フック５と可動フック４の間に配管用吊バンド８を固定し、グリップ７を回転させて天井のアンカー・インサートに寸切ボルト９をねじ込み配管用吊バンドと寸切ボルト９を天井に取り付ける。工具の取り外しは、シャフト６を横方向に動かせば配管用吊バンドと寸切ボルト９が外れて床上からの取り付けが完了する。【選択図】図４
2010043511.tif 000002
【特許請求の範囲】
【請求項１】
配管用吊バンドと寸切ボルトを組合わせた物を挟み込む仕組みを有する工具
【請求項２】
建物の天井のアンカー・インサートに配管用吊バンドと寸切ボルトを組合わせた物を請求項１の工具で足場等の高所に上がらずに床上から取り付ける方法
【発明の詳細な説明】
【技術分野】
【０００１】本発明は高所吊バンド取付工具に関する。
【背景技術】
【０００２】従来は建物の天井のアンカー・インサートに配管用吊バンドを取り付けるときに床上からは手が届かないので足場等を利用し高所に上がり取り付けていた。
【発明の開示】
【発明が解決しようとする課題】
【０００３】しかしながら足場上・高所での作業は時間、労力がかかり、なにより危険である。
【課題を解決するための手段】
【０００４】本発明は配管用吊バンドと寸切ボルトを組合わせた物を挟み込む工具を使用し、足場等を使用せずに床上から取付けることで上記の課題を解決する。
【発明の効果】
【０００５】本発明は高所に上がらずに配管用吊バンドと寸切ボルトを組み合わせた物を取り付けられるので時間・労力の短縮し、高所からの転落等の危険が無くなった。
【実施例】
【０００７】本発明の工具は図１の▲２▼と▲４▼は連結されており、▲２▼を▲Ａ▼方向に動かした時に▲４▼と▲５▼の間隔が開き、図２の様になる。
▲４▼の先端の溝の幅は▲１０▼のナットのサイズに合わせてある。
▲４▼と▲５▼の間に図３の▲８▼と▲９▼を組み合わせた物を挟みこむ。
▲２▼を元の位置に戻すと▲８▼と▲９▼は▲３▼の引きバネの反力によって▲４▼と▲５▼によって挟まれて固定され図４の様になる。そして図５の様に▲９▼のボルト▲１１▼にねじ込む。
すると▲９▼のボルトが▲１１▼によって固定されているので▲７▼のグリップを▲Ｂ▼方向に引くと図６の様に▲４▼と▲５▼の間隔が開き、▲６▼のシャフトを▲Ｃ▼方向に動かすと▲８▼・▲９▼だけが外れて図７の様に▲８▼・▲９▼の取付が完了する。
【図面の簡単な説明】
【０００８】
【図１】本発明の概観図
【図２】図１から可動した状態の図
【図３】吊バンドと寸切ボルトを組み合わせた状態の図
【図４】本発明品に吊バンドと寸切ボルトを組み合わせた物を取付けた状態の図
【図５】天井のアンカー・インサートに吊バンドと寸切ボルトをねじ込む図
【図６】本発明品から吊バンドと寸切ボルトを取り外す様子の図
【図７】アンカー・インサートに吊バンド・寸切ボルト取付け完了図
【符号の説明】
【０００９】▲１▼固定レバー
▲２▼可動レバー
▲３▼引きバネ
▲４▼可動フック
▲５▼脱落防止固定フック
▲６▼シャフト
▲７▼グリップ
▲８▼配管用吊バンド
▲９▼寸切ボルト
▲１０▼ターンバックル調整用ナット
▲１１▼アンカー・インサート
▲１２▼天井スラブ
▲Ａ▼上方向
▲Ｂ▼下方向
▲Ｃ▼横方向
【図１】
2010043511.tif 000003
【図２】
2010043511.tif 000004
【図３】
2010043511.tif 000005
【図４】
2010043511.tif 000006
【図５】
2010043511.tif 000007
【図６】
2010043511.tif 000008
【図７】
2010043511.tif 000009
(57)【要約】      （修正有）【課題】シャッター付の建物の内部で火炎が発生した時に袖扉に設けてある避難ドアーを開放して避難する場合に、避難ドアーの開口部の下枠が邪魔となって身体障害者用の車椅子が通行出来ないため、避難ドアーの下部に下枠を設けないで車椅子でも容易に通行避難できるようにしたものである。【解決手段】袖扉１は、上下の各ヒンジに開閉自在に軸着され、該袖扉には、避難ドアー２を建付けする開口部の下端の下枠を欠除して形成する。該避難ドアーは、該袖扉に上下のヒンジで開閉自在に装設すると共に、該袖扉と該避難ドアーとの召合せ部の全周に防火、防煙用の気密シールを装設する。また、該袖扉と該避難ドアーとの下端には、遮煙シール１３を各々装設する。【選択図】図１
2010043517.tif 000002
【特許請求の範囲】
【請求項１】
閉鎖した袖扉（１）の案内レール（７）にシャッター（３）が昇降するシャッター閉鎖装置において、該袖扉（１）には、上下のヒンジ（６）（６）によって開閉自在に装着され、該袖扉（１）に建付けする避難ドアー（２）の開口部の下端の下枠を欠除し、該避難ドアー（２）を該袖扉（１）の所定位置に上部ヒンジ（１１）及び下部ヒンジ（１２）に開閉自在に装着し、且つ該袖扉（１）と該避難ドアー（２）との召合せ部に合成ゴム等よりなる気密シール（１４）（１４）を装設すると共に、該袖扉（１）と該避難ドアー（２）との下端には、遮煙シール（１３）（１３）を装設した事を特徴とする車椅子用避難ドアー付シャッター袖扉装置。
【発明の詳細な説明】
【技術分野】
【０００１】  本発明は、建築物の屋内通路において火炎が発生した時に、空間を区画しているシャッターの側方に、避難ドアーを設けてある袖扉において、避難ドアーが開放した時に、身体障害者の車椅子が障害なく容易に通行できるようにした車椅子用避難ドアー付シャッター袖扉装置に関するものである。
【背景技術】
【０００２】  一般にこの種のシャッター開閉装置に設けられている袖扉には、例えば、袖扉の一部に避難用のドアーが設けられている。然し、これの避難用のドアーには、該袖扉にドアーの大きさの開口部を設けてドアーを避難用に開閉自在に形成されているのが一般に実施されている現状である。
【発明の概要】
【発明が解決しようとする課題】
【０００３】  上記の如く、従来の避難ドアー付の袖扉には、避難ドアーが該袖扉の外周が枠となる開口部の枠内に装設されているために、該避難ドアーの下部に袖扉の下枠が位置するため、身障者の車椅子が通過できないと云う問題点があった。
本発明は、これ等の従来の袖扉を改良したものであって、該袖扉の避難用ドアーを取付ける開口部の下枠を取り除いて、通路を平坦状に形成し、避難ドアーが開放と同時に車椅子が自由に通行避難できるようにしたものである。また、袖扉と避難ドアーの接合個所と下端には、各々防煙、防火用の遮煙シールを装設している車椅子用避難ドアー付シャッター袖扉装置を提供するものである。
【課題を解決するための手段】
【０００４】  本発明は、上記目的を達成するために、袖扉には、避難ドアーを建付けする開口部を形成する。この開口部には、下端に下枠を設けない欠除状態で形成されている。該避難ドアーは、該袖扉の所定位置に上部ヒンジと下部ヒンジとによって開閉自在に軸着される。
また、該袖扉と該避難ドアーとの接合する召合せ部には、合成ゴム等よりなる防煙、防火用の気密シールを装設する。更に、該袖扉と該避難ドアーとの下端には、各種の遮煙シールを装着してある。
【発明の効果】
【０００５】  以上の如く、車椅子用避難ドアー付シャッター袖扉装置によれば、従来の如く、避難ドアーの下部に袖扉の枠が位置して車椅子の車輪の障害になり通行ができない欠点を解決した効果と、火災時に身障者の人も自力で車椅子を操作して安全容易に避難ドアーより脱出できる効果がある。また、袖扉と避難ドアーとの召合せ部及び該袖扉と該避難ドアーとの下端にも、防煙、防火の遮煙シールを装設してあるので、避難ドアーの閉鎖時において、完全な遮煙を有する効果がある。
【図面の簡単な説明】
【０００６】
【図１】  本発明の避難ドアー付袖扉の一部欠除した正面図である。
【図２】  同じく本発明の図１の横断を示した平面図である。
【図３】  本発明の避難ドアーと袖扉との閉鎖状態の召合わせ部分を示した横断平面図である。
【図４】  本発明の袖扉の下端の一部を示した斜面図である。
【発明を実施するための形態】
【０００７】  本発明では、避難ドアー付袖扉は、火災の発生と共に、袖扉（１）が作動して回転閉鎖し、シャッター（３）は、袖扉（１）の案内レール（７）を自重降下して全閉鎖する。この時、避難ドアー（２）は自由開閉操作によって、避難者、消火作業者と同様に、身障者の車椅子も何等人の力を借りなくても自力で運転して避難が出来るものである。
【実施例】
【０００８】  本発明の実施例を図面について説明すると、図１に示すものは、袖扉（１）に出入口となる避難ドアー（２）が装設された閉鎖状態の正面図を示し、符号（３）はシャッターを示し、該袖扉（１）は、側壁（４）の袖扉収納枠（５）内に位置し、まぐさの高さまでの寸法に縦長に形成される。また、該袖扉（１）は、シャッター（３）の左右の片側又は両側に装設される。
且つ該袖扉（１）には、避難ドアー（２）を建付けする開口部の下端に下枠を形成せず、側壁（４）の袖扉収納枠（５）内に上下のヒンジ（６）（６）によって開閉自在に軸着され、該袖扉（１）の開放端部には、シャッター（３）を昇降案内する案内レール（７）を形成してある。該袖扉（１）には、上部に開閉で連動作動するリミットスイッチ（８）を設けると共に、停止用の上部ロック（９）と下部の下部ロック（１０）とによって固定される。収納ケース（１５）には、内部に巻取軸（１６）と、該リミットスイッチ（８）と連動作動するシャッター自動閉鎖装置及びブレーキを解除する開閉器等が装設してある。【０００９】  次に、該避難ドアー（２）には、上下端部に上部ヒンジクローザー（１１）と、下部ヒンジクローザー（１２）によって開閉自在に軸着されている。
また、図３、図４に示す如く、該避難ドアー（２）と、該袖扉（１）の開口部との接合面には、合成ゴム等よりなり、気密シール（１４）（１４）を対接してある。また、該袖扉（１）の下端面と該避難ドアー（２）の下端面には、防煙、防火用の遮煙シール（１３）を装着して完全に密閉したものである。
【符号の説明】
【００１０】１            袖扉
２            避難ドアー
３            シャッター
４            側壁
５            袖扉収納枠
６            上下のヒンジ
７            案内レール
８            リミットスイッチ
９            上部ロック
１０          下部ロック
１１          上部ヒンジクローザー
１２          下部ヒンジクローザー
１３          遮煙シール
１４          気密シール
１５          収納ケース
１６          巻取軸
【図１】
2010043517.tif 000003
【図２】
2010043517.tif 000004
【図３】
2010043517.tif 000005
【図４】
2010043517.tif 000006